(57)【要約】【課題】表示制御装置から表示端末に送信された表示データに基づいて表示端末が情報を表示する表示システムにおいて、表示データを解析されにくくすることのできる表示システムを提供する。【解決手段】表示制御装置７０は、分割データと分割データに割り当てられたアドレスとを含む複数の送信データと複数の分割データから表示データを復元させるコマンドとを送信する送信部とを備える。表示端末１２は、複数の送信データとコマンドとを受信する受信部と、分割データを記憶する端末記憶部と、コマンドを実行して複数の分割データから表示データを復元するコマンド処理部とを備える。送信部は、相互に異なる複数の送信端末７２を備え、複数の送信端末７２の各々が、近距離無線通信７３によって送信データを表示端末１２に送信するように構成されて相互に異なる場所に配置される。複数の送信端末７２の各々が相互に異なる送信データを送信する。【選択図】図１２
2018156685.tif 000002
【特許請求の範囲】
【請求項１】
端末記憶部を備える表示端末と、
表示データを前記表示端末に送信する表示制御装置と、を備え、
前記表示制御装置は、
前記表示データを複数の分割データに分割し、複数の前記分割データの各々に、前記端末記憶部におけるアドレスを前記分割データごとに異なるようにランダムに割り当て、前記分割データと前記分割データに割り当てられた前記アドレスとを含む送信データを、複数の前記分割データの各々に対して生成するデータ生成部と、
複数の前記分割データの各々に割り当てられた前記アドレスを前記分割データに対応付けて記憶する装置記憶部と、
複数の前記分割データから前記表示データを前記表示端末に復元させるためのコマンドを、複数の前記分割データが生成されるごとに異なるコマンドとして前記装置記憶部が記憶する前記アドレスに基づいて生成するコマンド生成部と、
複数の前記送信データと前記コマンドとを送信する送信部と、を備え、
前記表示端末は、
複数の前記送信データと前記コマンドとを受信する受信部と、
前記分割データを記憶する前記端末記憶部と、
前記コマンドを実行して、前記端末記憶部に記憶された複数の前記分割データから前記表示データを復元するコマンド処理部と、を備え、
前記送信部は、相互に異なる複数の送信端末を備え、複数の前記送信端末の各々が、近距離無線通信によって前記送信データを前記表示端末に送信するように構成されて相互に異なる場所に配置され、
複数の前記送信端末の各々が相互に異なる前記送信データを送信する
表示システム。
【請求項２】
端末記憶部を備える表示端末と、
表示データを前記表示端末に送信する表示制御装置と、を備え、
前記表示制御装置は、
前記表示データを複数の分割データに分割し、複数の前記分割データの各々に、前記端末記憶部におけるアドレスを前記分割データごとに異なるようにランダムに割り当て、前記分割データと前記分割データに割り当てられた前記アドレスとを含む送信データを、複数の前記分割データの各々に対して生成するデータ生成部と、
複数の前記分割データの各々に割り当てられた前記アドレスを前記分割データに対応付けて記憶する装置記憶部と、
複数の前記分割データから前記表示データを前記表示端末に復元させるためのコマンドを、複数の前記分割データが生成されるごとに異なるコマンドとして前記装置記憶部が記憶する前記アドレスに基づいて生成するコマンド生成部と、
複数の前記送信データと前記コマンドとを送信する送信部と、を備え、
前記表示端末は、
複数の前記送信データと前記コマンドとを受信する受信部と、
前記分割データを記憶する前記端末記憶部と、
前記コマンドを実行して、前記端末記憶部に記憶された複数の前記分割データから前記表示データを復元するコマンド処理部と、を備え、
前記表示データは、第１表示データであり、
前記アドレスは、第１アドレスであり、
前記分割データは、第１分割データであり、
前記送信データは、第１送信データであり、
前記データ生成部は、
前記第１表示データとは異なる第２データを複数の第２分割データに分割し、複数の前記第２分割データの各々に、前記端末記憶部における前記第１アドレスとは異なる第２アドレスを前記第２分割データごとに異なるようにランダムに割り当て、前記第２分割データと前記第２分割データに割り当てられた前記第２アドレスとを含む第２送信データを、複数の前記第２分割データの各々に対して生成し、
前記送信部は、前記第２送信データを前記表示端末に送信し、
前記受信部は、前記送信部の送信した前記第２送信データを受信し、
前記端末記憶部は、前記受信部が受信した前記第２送信データに含まれる前記第２分割データを記憶し、
前記表示端末は、前記第１分割データに基づく情報を表示する表示部をさらに備える
表示システム。
【請求項３】
前記端末記憶部は、
前記分割データの記憶されたアドレス以外のアドレスにダミーデータを記憶する
請求項１または２に記載の表示システム。
【発明の詳細な説明】
【技術分野】
【０００１】
本発明は、表示制御装置から表示端末に送信された表示データに基づいて、表示端末が情報を表示する表示システムに関する。
【背景技術】
【０００２】
表示制御装置と表示端末とを備える表示システムであって、表示端末が、表示制御装置から表示端末に送信された表示データに基づいて情報、例えば、文字や画像を表示する表示システムが知られている。表示システムにおいて、表示制御装置と表示端末とは、例えば、無線通信によって接続され、表示制御装置の送信した情報は、無線通信を介して表示端末に受信される（例えば、特許文献１参照）。
【先行技術文献】
【特許文献】
【０００３】
【特許文献１】特開２０１２−１７４０１３号公報
【発明の概要】
【発明が解決しようとする課題】
【０００４】
ところで、表示システムでは、表示制御装置から表示端末に送信された１つの表示データは、表示端末の備えるソフトウェアから見て、表示端末の備えるメモリにおける連続する複数のアドレス空間に書き込まれる。一方で、こうして書き込まれた１つのデータは、連続する複数のアドレス空間の各々に書き込まれたデータをアドレスの順に従って読み出すことによって得られてしまうため、表示制御装置の送信した１つの表示データは、容易に解析されてしまう。それゆえに、表示端末に書き込まれた表示データがより解析されにくい表示システムが求められている。
【０００５】
本発明は、表示制御装置から表示端末に送信された表示データに基づいて表示端末が情報を表示する表示システムにおいて、表示データを解析されにくくすることのできる表示システムを提供することを目的とする。
【課題を解決するための手段】
【０００６】
表示システムの一態様は、端末記憶部を備える表示端末と、表示データを前記表示端末に送信する表示制御装置と、を備える。前記表示制御装置は、前記表示データを複数の分割データに分割し、複数の前記分割データの各々に、前記端末記憶部におけるアドレスを前記分割データごとに異なるようにランダムに割り当て、前記分割データと前記分割データに割り当てられた前記アドレスとを含む送信データを、複数の前記分割データの各々に対して生成するデータ生成部と、複数の前記分割データの各々に割り当てられた前記アドレスを前記分割データに対応付けて記憶する装置記憶部と、複数の前記分割データから前記表示データを前記表示端末に復元させるためのコマンドを、複数の前記分割データが生成されるごとに異なるコマンドとして前記装置記憶部が記憶する前記アドレスに基づいて生成するコマンド生成部と、複数の前記送信データと前記コマンドとを送信する送信部と、を備える。前記表示端末は、複数の前記送信データと前記コマンドとを受信する受信部と、前記分割データを記憶する前記端末記憶部と、前記コマンドを実行して、前記端末記憶部に記憶された複数の前記分割データから前記表示データを復元するコマンド処理部と、を備える。前記送信部は、相互に異なる複数の送信端末を備え、複数の前記送信端末の各々が、近距離無線通信によって前記送信データを前記表示端末に送信するように構成されて相互に異なる場所に配置され、複数の前記送信端末の各々が相互に異なる前記送信データを送信する。
【０００７】
表示システムの一態様によれば、表示データが複数の分割データに分割されて、複数の分割データの各々は、表示端末における端末記憶部のアドレスの中で、表示制御装置がランダムに割り当てたアドレスに記憶される。そして、複数の分割データの各々に割り当てられたアドレスを記憶する表示制御装置が、表示制御装置の割り当てたアドレスに基づいて、表示データを復元するためのコマンドを生成する。それゆえに、端末記憶部に記憶された複数の分割データを特定することは難しく、また仮に、複数の分割データが特定されるとしても、複数の分割データを単に読み出すだけでは表示データを復元させることは難しいため、表示データが解析されにくくなる。
【０００８】
また、複数の送信端末の各々は、相互に異なる送信データを送信するため、表示端末は、全ての送信端末から送信データを受信したときのみ表示データに基づく画像の全体を表示することができる。
【０００９】
表示システムの一態様は、端末記憶部を備える表示端末と、表示データを前記表示端末に送信する表示制御装置と、を備える。前記表示制御装置は、前記表示データを複数の分割データに分割し、複数の前記分割データの各々に、前記端末記憶部におけるアドレスを前記分割データごとに異なるようにランダムに割り当て、前記分割データと前記分割データに割り当てられた前記アドレスとを含む送信データを、複数の前記分割データの各々に対して生成するデータ生成部と、複数の前記分割データの各々に割り当てられた前記アドレスを前記分割データに対応付けて記憶する装置記憶部と、複数の前記分割データから前記表示データを前記表示端末に復元させるためのコマンドを、複数の前記分割データが生成されるごとに異なるコマンドとして前記装置記憶部が記憶する前記アドレスに基づいて生成するコマンド生成部と、複数の前記送信データと前記コマンドとを送信する送信部と、を備える。前記表示端末は、複数の前記送信データと前記コマンドとを受信する受信部と、前記分割データを記憶する前記端末記憶部と、前記コマンドを実行して、前記端末記憶部に記憶された複数の前記分割データから前記表示データを復元するコマンド処理部と、を備える。前記表示データは、第１表示データであり、前記アドレスは、第１アドレスであり、前記分割データは、第１分割データであり、前記送信データは、第１送信データである。前記データ生成部は、前記第１表示データとは異なる第２データを複数の第２分割データに分割し、複数の前記第２分割データの各々に、前記端末記憶部における前記第１アドレスとは異なる第２アドレスを前記第２分割データごとに異なるようにランダムに割り当て、前記第２分割データと前記第２分割データに割り当てられた前記第２アドレスとを含む第２送信データを、複数の前記第２分割データの各々に対して生成する。前記送信部は、前記第２送信データを前記表示端末に送信し、前記受信部は、前記送信部の送信した前記第２送信データを受信し、前記端末記憶部は、前記受信部が受信した前記第２送信データに含まれる前記第２分割データを記憶する。前記表示端末は、前記第１分割データに基づく情報を表示する表示部をさらに備える。
【００１０】
表示システムの一態様によれば、表示データが複数の分割データに分割されて、複数の分割データの各々は、表示端末における端末記憶部のアドレスの中で、表示制御装置がランダムに割り当てたアドレスに記憶される。そして、複数の分割データの各々に割り当てられたアドレスを記憶する表示制御装置が、表示制御装置の割り当てたアドレスに基づいて、表示データを復元するためのコマンドを生成する。それゆえに、端末記憶部に記憶された複数の分割データを特定することは難しく、また仮に、複数の分割データが特定されるとしても、複数の分割データを単に読み出すだけでは表示データを復元させることは難しいため、表示データが解析されにくくなる。
【００１１】
また、端末記憶部は、ランダムに割り当てられたアドレスに複数の第１分割データを記憶し、さらに、ランダムに割り当てられたアドレスに複数の第２分割データを記憶する。そのため、第２分割データを改竄する改竄者が第２分割データのみを改竄することは難しく、こうした改竄者が第２分割データを改竄するときには、第１分割データにまで変更が加えられやすくなる。そして、表示端末が第１分割データに基づく情報を表示する表示部を備えているため、第２データを構成する第２分割データが改竄された場合には、表示端末に表示される情報が、本来表示されるべき情報とは異なる情報になる。それゆえに、第１分割データに基づき表示部に表示された情報が本来表示されるべき情報であるか否かによって、第１分割データに変更が加えられたか否か、ひいては、第２分割データが改竄されたか否かを検知することができる。
【００１２】
上記表示システムの他の態様において、前記端末記憶部は、前記分割データの記憶されたアドレス以外のアドレスにダミーデータを記憶することが好ましい。
上記表示システムの他の態様によれば、端末記憶部は、複数の分割データに加えて、ダミーデータも記憶しているため、端末記憶部に記憶されたデータのうちで、どのデータが分割データであるかが分かりにくくなる。それゆえに、複数の分割データから表示データを復元することがより難しくなり、結果として、表示データが解析されにくくなる。
【発明の効果】
【００１３】
本発明によれば、表示制御装置から表示端末に送信された表示データに基づいて表示端末が情報を表示する表示システムにおいて、表示データが解析されにくくなる。
【図面の簡単な説明】
【００１４】
【図１】本発明を具体化した第１実施形態における表示システムの模式的な構成を示すシステム構成図である。
【図２】第１実施形態における表示制御装置の電気的な構成を示すブロック図である。
【図３】第１実施形態における表示データの構成と送信データの構成とを模式的に示すデータ構成図である。
【図４】第１実施形態における表示端末の電気的な構成を示すブロック図である。
【図５】第１実施形態における端末記憶部の複数のアドレス空間と、各アドレス空間に記憶された情報とを模式的に示すメモリ構成図である。
【図６】第１実施形態における処理の順番を示すシーケンスチャートである。
【図７】本発明を具体化した第２実施形態における表示システムの模式的な構成を示すシステム構成図である。
【図８】第２実施形態におけるコマンド送信端末の電気的構成を示すブロック図である。
【図９】第２実施形態における処理の順番を示すシーケンスチャートである。
【図１０】第２実施形態の変形例における処理の一部を順番に示すシーケンスチャートである。
【図１１】第２実施形態の変形例における処理の一部を順番に示すシーケンスチャートである。
【図１２】本発明を具体化した第３実施形態における表示システムの模式的な構成を示すシステム構成図である。
【図１３】第３実施形態における表示制御装置の電気的な構成を示すブロック図である。
【図１４】第３実施形態における処理の順番を示すシーケンスチャートである。
【図１５】第３実施形態の作用を説明するための作用図である。
【図１６】第３実施形態の作用を説明するための作用図である。
【図１７】本発明を具体化した第４実施形態における第１表示データ、第１送信データ、第２データ、および、第２送信データの各々の構成を模式的に示すデータ構成図である。
【図１８】第４実施形態における端末記憶部の複数のアドレス空間と、各アドレス空間に記憶された情報とを模式的に示すメモリ構成図である。
【図１９】第４実施形態における端末記憶部の情報が改竄された状態を模式的に示すメモリ構成図である。
【図２０】第４実施形態における処理の順番を示すシーケンスチャートである。
【図２１】第４実施形態における作用を説明するための作用図である。
【図２２】第４実施形態における作用を説明するための作用図である。
【発明を実施するための形態】
【００１５】
［第１実施形態］
図１から図６を参照して表示システムを具体化した第１実施形態を説明する。以下では、表示システムの構成、表示システムの構成要素、および、表示システムにおける処理を順番に説明する。
【００１６】
［表示システムの構成］
図１を参照して表示システムの構成を説明する。
図１が示すように、表示システム１０は、表示制御装置１１と表示端末１２とを備えている。表示制御装置１１は、所定の画像を表示端末１２に表示させるための表示データを表示端末１２に送信し、表示端末１２は、表示制御装置１１の送信した表示データを記憶する記憶部を備えている。表示データは、第１表示データの一例である。
【００１７】
表示システム１０において、表示制御装置１１と表示端末１２とは、所定の通信１３、例えば、近距離無線通信で接続されている。近距離無線通信は、例えばＮＦＣであり、ＮＦＣ以外の近距離無線通信であるＢｌｕｅｔｏｏｔｈ（登録商標）、ＩｒＤＡ、および、ＺｉｇＢｅｅ（登録商標）などでもよい。あるいは、通信１３は、近距離無線通信に限らず、他の通信、例えば有線通信などでもよい。
【００１８】
表示制御装置１１は、例えばパーソナルコンピュータであるが、スマートフォンなどでもよく、上述した通信１３によって表示端末１２に表示データを送信することのできる装置であればよい。表示端末１２は、例えば表示カードであるが、スマートフォンなどでもよく、表示データを記憶するための記憶部を有して、表示データを表示することのできる端末であればよい。
【００１９】
表示データに基づき表示端末に表示される情報は、文字、および、模様や図形を含む画像の少なくとも１つを有していればよく、これらが適宜組み合わせられていてもよい。また、情報は、白黒表示であってもよいし、カラー表示であってもよい。
【００２０】
［表示制御装置の構成］
図２および図３を参照して表示制御装置の構成を説明する。なお、図３では、表示送信データを説明する便宜上、表示送信データが模式的に示されている。
【００２１】
図２が示すように、表示制御装置１１は、装置記憶部２１、装置制御部２２、および、送信部２３を備え、装置制御部２２は、装置記憶部２１と送信部２３との各々に電気的に接続している。
【００２２】
装置記憶部２１は、少なくともデータと装置制御部２２が解釈して実行するプログラムとを記憶している。プログラムには、例えば、分割データ生成用プログラム、アドレス指定用プログラム、コマンド生成用プログラム、および、データ送信用プログラムが含まれている。
【００２３】
分割データ生成用プログラムは、表示データを所定のデータサイズに分割して表示分割データを生成するためプログラムである。表示分割データは、第１分割データの一例である。分割データ生成用プログラムによって、例えば、所定のデータサイズを有する１つの表示データが、表示データそのもののサイズよりも小さいデータサイズであって、表示端末１２の端末記憶部に設定された１つのアドレス空間に格納することのできるサイズ、例えば１バイトの表示分割データに分割される。
【００２４】
アドレス指定用プログラムは、各表示分割データに表示端末１２の端末記憶部における１つのアドレスである表示用アドレスを対応付けるためのプログラムである。アドレス指定用プログラムによれば、例えば、疑似乱数が用いられて、複数の表示分割データの各々に対して１つのアドレスがランダムに対応付けられる。表示用アドレスが、第１アドレスの一例であり、各表示分割データに対応付けられた表示用アドレスは、表示端末１２の備えるソフトウェアからみてランダムである。
【００２５】
コマンド生成用プログラムは、各表示分割データに対応付けられたアドレスに基づき、複数の表示分割データから１つの表示データを復元するためのコマンドを生成するためのプログラムである。
【００２６】
データ送信用プログラムは、表示用アドレスの割り当てられた表示分割データを含む表示送信データを表示端末１２に対して送信部２３に送信させるためのプログラムである。表示送信データは、第１送信データの一例である。
【００２７】
装置記憶部２１に記憶されたデータには、表示端末に情報を表示させるための表示データが含まれている。また、装置記憶部２１に記憶されたデータには、各表示分割データに割り当てられたアドレスが、表示データにおける各表示分割データの並び順に対応付けられたデータである表示用アドレスデータが含まれている。表示用アドレスデータは、複数の分割データの各々に割り当てられたアドレスを各分割データに対応付けている。
【００２８】
送信部２３は、１つの表示分割データと、表示分割データに割り当てられたアドレスとを含む表示送信データを表示端末１２に送信する。表示送信データは、第１送信データの一例である。
【００２９】
装置制御部２２は、データ生成部２２ａと、コマンド生成部２２ｂとを備えている。コマンド生成部２２ｂは、コマンド生成用プログラムと、アドレスデータとに基づいて、複数の表示分割データから１つの表示データを復元するためのコマンドを生成する。コマンド生成部２２ｂは、複数の表示分割データが生成されるごとに異なるコマンドを生成し、コマンド生成部２２ｂの生成するコマンドは、表示用アドレスデータごとに固有である。
【００３０】
図３が示すように、データ生成部２２ａは、１つの表示データ３１から複数の表示送信データ３４を生成する。データ生成部２２ａは、例えば、分割データ生成用プログラムを実行して、１つの表示データ３１を複数の表示分割データ３２に分割する。そして、データ生成部２２ａは、アドレス指定用プログラムを実行して、各表示分割データ３２に端末記憶部における１つの表示用アドレス３３をランダムに割り当てることで、複数の表示分割データ３２の各々に対して表示送信データ３４を生成する。
【００３１】
このとき、データ生成部２２ａは、表示用アドレスデータを装置記憶部２１に格納する。表示用アドレスデータは、表示分割データ３２に割り当てられた表示用アドレス３３と、表示用アドレス３３が割り当てられた表示分割データ３２の表示データ３１における並び順とから構成される。
【００３２】
［表示端末の構成］
図４および図５を参照して表示端末の構成を説明する。
図４が示すように、表示端末１２は、受信部４１、端末制御部４２、端末記憶部４３、および、表示部４４を備え、端末制御部４２は、受信部４１、端末記憶部４３、および、表示部４４に電気的に接続している。受信部４１は、表示制御装置１１の送信した複数の表示送信データ３４と、表示送信データ３４に含まれる表示分割データ３２を表示データ３１に復元するためのコマンドとを受信する。
【００３３】
端末記憶部４３は、少なくともデータと端末制御部４２が解釈して処理するプログラムとを記憶している。このうち、プログラムには、例えば、コマンド処理用プログラムが含まれ、コマンド処理用プログラムは、受信部４１の受信したコマンドを実行して、複数の表示分割データ３２から１つの表示データ３１を復元するためのプログラムである。データには、受信部４１の受信した複数の表示分割データ３２が含まれている。
【００３４】
端末制御部４２は、コマンド処理部４２ａを備え、コマンド処理部４２ａは、コマンド処理用プログラムを実行して、表示制御装置１１から受信されたコマンドを解釈する。そして、コマンド処理部４２ａは、端末記憶部４３に記憶された複数の表示分割データ３２を表示データ３１における並び順に従って並べて１つの表示データ３１を復元する。
【００３５】
表示部４４は、端末制御部４２の復元した表示データ３１に基づいて所定の情報を表示する。表示部４４は、例えば、電子ペーパーであるが、有機ＥＬディスプレイやプラズマディスプレイなど、他のディスプレイであってもよい。
【００３６】
表示端末１２は、内部に電源を有しない構成であることが好ましく、こうした構成では、表示端末１２は、表示端末１２に必要な電力を表示制御装置１１との通信１３により供給される構成であればよい。
【００３７】
図５は、端末記憶部４３を模式的に示す図であって、端末記憶部４３に区画された複数のアドレス空間を模式的に示す図である。図５では、説明の便宜上、アドレス空間の各々にドットなどのハッチングが付されている。
【００３８】
図５が示すように、各表示送信データ３４の含む表示分割データ３２は、表示分割データ３２に割り当てられた１つの表示用アドレス３３に従い、端末記憶部４３のうち、１つのアドレス空間に記憶される。なお、以下では、表示用アドレス３３は、アドレス空間に対応する行番号と列番号とを順に並べる形で表される。
【００３９】
例えば、表示送信データ３４に含まれる表示用アドレス３３が「１０」であるとき、表示分割データ３２は「１０」が対応付けられた第１アドレス空間４３ａに記憶され、表示送信データ３４に含まれる表示用アドレス３３が「３２」であるとき、表示分割データ３２は「３２」が対応付けられた第２アドレス空間４３ｂに記憶される。
【００４０】
また、表示送信データ３４に含まれる表示用アドレス３３が「６３」であるとき、表示分割データ３２は「６３」が対応付けられた第３アドレス空間４３ｃに記憶され、表示送信データ３４に含まれる表示用アドレス３３が「９２」であるとき、表示分割データ３２は「９２」が対応付けられた第４アドレス空間４３ｄに記憶される。
【００４１】
そして、表示送信データ３４に含まれる表示用アドレス３３が「Ａ１」であるとき、表示分割データ３２は「Ａ１」が対応付けられた第５アドレス空間４３ｅに記憶され、表示送信データ３４に含まれる表示用アドレス３３が「Ｄ３」であるとき、表示分割データ３２は「Ｄ３」が対応付けられた第６アドレス空間４３ｆに記憶される。
【００４２】
端末記憶部４３において、表示分割データ３２の記憶されていないアドレス空間には、表示データ３１を構成しないデータであるダミーデータが記憶されている。
なお、表示端末１２において、例えば、一旦、表示データ３１の復元が行われると、端末記憶部４３のアドレス空間の全てにダミーデータが記憶される。あるいは、表示端末１２が新たな複数の表示分割データ３２を受信したとき、アドレス空間の全てにダミーデータが記憶される。
【００４３】
［表示システムの処理］
図６を参照して表示システムの実行する処理を説明する。
図６が示すように、表示制御装置１１は、表示制御装置１１から所定の範囲内に接続要求信号を送信し（ステップＳ１１）、表示制御装置１１の所定の範囲内に表示端末１２が位置するとき、表示端末１２が接続要求信号を受信して（ステップＳ１２）、受信した接続要求信号に対応する接続応答信号を送信する（ステップＳ１３）。このとき、接続応答信号には、表示端末１２を特定するための情報、例えば、表示端末１２のＩＤが含まれている。
【００４４】
表示制御装置１１が接続応答信号を受信し、表示制御装置１１が、表示端末１２のＩＤから表示端末１２が表示送信データ３４を送信すべき端末として認証する（ステップＳ１４）。そして、表示制御装置１１は、表示データ３１に基づく表示送信データ３４を生成し（ステップＳ１５）、表示送信データ３４を表示端末１２に送信する（ステップＳ１６）。次いで、表示端末１２が表示送信データ３４を受信し（ステップＳ１７）、表示送信データ３４ごとのアドレス空間に表示分割データ３２を記憶する（ステップＳ１８）。
【００４５】
なお、表示制御装置１１は、表示端末１２への表示送信データ３４の送信に続いて、表示送信データ３４に含まれる表示分割データ３２から表示データ３１を復元させるためのコマンドを生成する（ステップＳ１９）。
【００４６】
表示制御装置１１が、コマンド生成用プログラムを実行してコマンドを生成すると、例えば、コマンド生成用プログラムにより、コマンドを表示端末１２に送信するか否かの選択肢が表示制御装置１１の表示部に表示される。そして、表示制御装置１１において、例えば、使用者により、コマンドの送信が選択されると、表示制御装置１１が、表示データを復元させるためのコマンドを表示端末１２に送信する（ステップＳ２０）。
【００４７】
表示端末１２は、表示制御装置１１の送信したコマンドを受信し（ステップＳ２１）、コマンドを実行して複数の表示分割データ３２から１つの表示データ３１を復元する（ステップＳ２２）。これにより、表示部４４が、表示データ３１に基づく情報を表示する（ステップＳ２３）。
【００４８】
なお、ステップＳ１１からステップＳ２３では、例えば、表示端末１２の所持者が、表示制御装置１１の送信部２３としてのリーダライタに表示端末１２をかざすことで、リーダライタと表示端末１２との間の距離を所定の距離以内に保っている。これにより、表示端末１２と表示制御装置１１との間では、ＮＦＣによる通信１３が可能である。
【００４９】
なお、表示データの解析を難しくする上では、表示端末１２が、表示制御装置１１から送信された表示データを、１つのアドレス空間に書き込むことのできるデータサイズごとに、不規則なアドレス空間に書き込む構成とすることも可能である。
【００５０】
ただし、こうした構成では、表示データの配列を決定する機能がソフトウェアで具体化される場合には、表示端末１２に記憶されたソフトウェアの解析によって、分割して記憶された表示データの配列が解析されてしまう。
【００５１】
また、ハードウェアで具体化された場合であれ、表示端末を解析することによって表示データの配列の解析と、順番に並べられた表示データの解析とが行われることもある。さらには、表示データの配列を決定する機能がハードウェアで具体化される場合には、表示データの配列を決める専用のハードウェアの開発も必要である。
【００５２】
これに対して、上述した表示システム１０によれば、端末記憶部４３に記憶された複数の表示分割データ３２を特定することは難しく、また仮に、複数の表示分割データ３２が特定されるとしても、複数の表示分割データ３２を単に読み出すだけでは表示データ３１を復元させることは難しい。さらには、表示端末１２が、表示データ３１の配列を決定する機能を有していないため、表示データ３１の配列も特定されにくい。
【００５３】
以上説明したように、第１実施形態の表示システムによれば、以下に列挙する効果を得ることができる。
（１）表示データ３１が複数の表示分割データ３２に分割されて、複数の分割３２データの各々は、表示端末１２における端末記憶部４３のアドレスの中で、表示制御装置１１がランダムに割り当てたアドレス空間に記憶される。そして、複数の表示分割データ３２に割り当てられた表示用アドレス３３を記憶する表示制御装置１１が、表示制御装置１１の割り当てたアドレスに基づいて、表示データ３１を復元するためのコマンドを生成する。それゆえに、端末記憶部４３に記憶された表示分割データ３２を特定することは難しく、また、仮に、複数の表示分割データ３２が特定されるとしても、複数の表示分割データ３２を単に読み出すだけでは表示データ３１を復元させることは難しいため、表示データ３１が解析されにくくなる。
【００５４】
（２）端末記憶部４３は、複数の表示分割データ３２に加えて、ダミーデータも記憶しているため、端末記憶部４３に記憶されたデータのうちで、どのデータが表示分割データ３２であるかが分かりにくくなる。それゆえに、複数の表示分割データ３２から表示データ３１を復元することがより難しくなり、結果として、表示データ３１が解析されにくくなる。
【００５５】
なお、上述した第１実施形態は、以下のように適宜変更して実施することもできる。
・端末記憶部４３には、ダミーデータが記憶されていなくてもよい。こうした構成であっても、表示端末１２のソフトウェアから見て、複数の表示分割データ３２が複数のアドレス空間に対してランダムに記憶され、かつ、複数の表示分割データ３２を１つの表示データ３１に復元するためのコマンドを表示制御装置１１が生成する構成であれば、上述した（１）に準じた効果を得ることができる。
【００５６】
・表示制御装置１１が、表示端末１２の認証を表示制御装置１１の内部に有するデータに基づき行わなくともよく、例えば、表示制御装置１１が、受信した表示端末１２のＩＤを表示端末１２の認証を行うための外部装置であるサーバに送信し、表示端末１２のＩＤを受信したサーバが行ってもよい。
【００５７】
・表示制御装置１１と表示端末１２との間の通信１３がＮＦＣではなく、例えばインターネットなどの所定のネットワークであるときには、ステップＳ１１からステップＳ２３の処理が実行されるとき、表示制御装置１１と表示端末１２との間の距離が、所定の距離内でなくともよい。要は、表示制御装置１１と表示端末１２との間での通信が可能な状態であればよい。
【００５８】
［第２実施形態］
図７から図９を参照して表示システムを具体化した第２実施形態を説明する。第２実施形態の表示システムは、第１実施形態の表示システムと比べて、表示端末に表示データを復元させるコマンドを送信する装置が異なる。そのため、以下では、こうした相違点を詳しく説明する一方で、第２実施形態の表示システムにおいて第１実施形態の表示システムと共通する構成には、第１実施形態の表示システムと同一の符号を付すことによって、第１実施形態の表示システムと共通する構成の説明を省略する。また、以下では、表示システムの構成、コマンド送信端末の構成、および、表示システムの処理を順番に説明する。
【００５９】
［表示システムの構成］
図７を参照して表示システムの構成を説明する。
図７が示すように、表示システム１０は、表示制御装置１１と表示端末１２とを備え、さらに、コマンド送信端末５１を備えている。コマンド送信端末５１は、上述した通信１３によって、表示制御装置１１の送信したコマンドを受信し、受信したコマンドを表示端末１２に送信する。
【００６０】
コマンド送信端末５１は、例えばスマートフォンであるが、パーソナルコンピュータなどでもよく、上述した通信１３によって表示制御装置１１の送信したコマンドを受信し、かつ、表示端末１２にコマンドを送信することのできる端末であればよい。
【００６１】
［コマンド送信端末の構成］
図８を参照してコマンド送信端末の構成を説明する。
図８が示すように、コマンド送信端末５１は、コマンド受信部６１、コマンド制御部６２、コマンド記憶部６３、および、コマンド送信部６４を備え、コマンド制御部６２は、コマンド受信部６１、コマンド記憶部６３、および、コマンド送信部６４に電気的に接続している。
【００６２】
コマンド受信部６１は、表示制御装置１１の送信したコマンドであって、表示端末１２の端末記憶部４３に記憶された複数の表示分割データ３２を１つの表示データ３１に復元するためのコマンドを受信する。一方で、コマンド送信部６４は、コマンド受信部６１の受信したコマンドを表示端末１２に送信する。
【００６３】
コマンド記憶部６３は、少なくともコマンドと、コマンド制御部６２が解釈して実行するプログラムとを記憶している。このうち、プログラムには、例えば、送信制御用プログラムと、受信制御用プログラムとが含まれている。これらのプログラムは、コマンド制御部６２によって実行されて、コマンド受信部６１によるコマンドの受信と、コマンド送信部６４によるコマンドの送信とを実行させる。
【００６４】
コマンド制御部６２は、送信制御用プログラム、および、受信制御用プログラムを解釈して実行することで、コマンド受信部６１にコマンドを受信させ、コマンド送信部６４にコマンドを送信させる。
【００６５】
［表示システムの処理］
図９を参照して表示システムの実行する処理を説明する。
図９が示すように、表示制御装置１１は、表示制御装置１１から所定の範囲内に接続要求信号を送信し（ステップＳ３１）、表示制御装置１１の所定の範囲内に表示端末１２が位置するとき、表示端末１２が接続要求信号を受信して（ステップＳ３２）、受信した接続要求信号に対応する接続応答信号を送信する（ステップＳ３３）。このとき、接続応答信号には、表示端末１２を特定するための情報、例えば、表示端末１２のＩＤが含まれている。
【００６６】
表示制御装置１１が接続応答信号を受信し、表示制御装置１１が、表示端末１２のＩＤから表示端末１２が表示送信データ３４を送信すべき端末であるとして認証する（ステップＳ３４）。そして、表示制御装置１１は、表示データ３１に基づく表示送信データ３４を生成し（ステップＳ３５）、表示送信データ３４を表示端末１２に送信する（ステップＳ３６）。次いで、表示端末１２が表示送信データ３４を受信し（ステップＳ３７）、表示送信データ３４ごとのアドレス空間に表示分割データ３２を記憶する（ステップＳ３８）。
【００６７】
なお、ステップＳ３１からステップＳ３８では、例えば、表示端末１２の所持者が、表示制御装置１１のリーダライタに表示端末１２をかざして、リーダライタと表示端末１２との間の距離を所定の距離以内に保っている。
【００６８】
また、表示制御装置１１は、表示端末１２への表示送信データ３４の送信に続いて、表示送信データ３４に含まれる表示分割データ３２から表示データ３１を復元させるためのコマンドを生成する（ステップＳ３９）。
【００６９】
一方で、コマンド送信端末５１が接続要求信号を送信し（ステップＳ４０）、コマンド送信端末５１が表示制御装置１１の所定の範囲内に位置するとき、表示制御装置１１が接続要求信号を受信する（ステップＳ４１）。コマンド送信端末５１の送信した接続要求信号には、コマンド送信端末５１を特定するための情報、例えば、コマンド送信端末５１のＩＤが含まれている。
【００７０】
表示制御装置１１は、コマンド送信端末５１のＩＤからコマンド送信端末５１がコマンドを送信すべき端末として認証すると、コマンド送信端末５１に接続応答信号とコマンドとを送信する（ステップＳ４２）。そして、コマンド送信端末５１が、コマンドを受信する（ステップＳ４３）。
【００７１】
なお、ステップＳ４０からステップＳ４３では、例えば、コマンド送信端末５１の所持者が、表示制御装置１１のリーダライタにコマンド送信端末５１をかざして、リーダライタとコマンド送信端末５１との間の距離を所定の距離以内に保っている。
【００７２】
コマンド送信端末５１が接続要求信号を送信し（ステップＳ４４）、表示端末１２がコマンド送信端末５１の所定の範囲内に位置するとき、表示端末１２が接続要求信号を受信する（ステップＳ４５）。そして、表示端末１２がコマンド送信端末５１に接続応答信号を送信する（ステップＳ４６）。このとき、接続応答信号には、表示端末１２のＩＤが含まれている。
【００７３】
コマンド送信端末５１が接続応答信号を受信し（ステップＳ４７）、コマンド送信端末５１が、表示端末１２のＩＤから表示端末１２がコマンドを送信すべき端末として認証すると、コマンド送信端末５１が、表示端末１２にコマンドを送信する（ステップＳ４８）。
【００７４】
表示端末１２は、コマンド送信端末５１の送信したコマンドを受信し（ステップＳ４９）、コマンドを実行して複数の表示分割データ３２から１つの表示データを復元する（ステップＳ５０）。これにより、表示部４４が、表示データ３１に基づく情報を表示する（ステップＳ５１）。
【００７５】
なお、ステップＳ４４からステップＳ４９では、例えば、同一の人物が表示端末１２とコマンド送信端末５１とを所持し、所持者が、コマンド送信端末５１に表示端末１２をかざすことで、表示端末１２とコマンド送信端末５１との間の距離を所定の距離以内に保っている。
【００７６】
以上説明したように、第２実施形態の表示システムによれば、以下の効果を得ることができる。
（３）コマンドを生成する表示制御装置１１とは異なるコマンド送信端末５１が、表示端末１２へのコマンドの送信を行う。そのため、表示端末１２に記憶された表示分割データ３２に基づく情報を表示端末１２に表示させるためには、表示分割データ３２の記憶された表示端末１２と、コマンドを送信するコマンド送信端末５１との両方が必要である。
【００７７】
なお、上述した第２実施形態は、以下のように適宜変更して実施することもできる。
・表示端末１２の表示する情報が、例えば、認証用の情報などであるとき、表示システム１０は、上述したステップＳ４７にて実行される処理の後、図１０に示される処理を実行してもよい。
【００７８】
すなわち、図１０が示すように、コマンド送信端末５１がコマンドを送信し、表示端末１２が、受信したコマンドの実行により表示データ３１を復元して、情報を表示する（ステップＳ４８からステップＳ５１）。次いで、コマンド送信端末５１が、例えば、コマンド送信端末５１の備えるカメラによって表示端末１２の表示した情報を撮像し（ステップＳ５２）、コマンド送信端末５１が、撮像した画像に対応する画像データを表示制御装置１１に送信する（ステップＳ５３）。なお、コマンド送信端末５１は、表示制御装置１１に対して、上述した近距離無線通信によって画像データを送信してもよいし、他の通信方法によって画像データを送信してもよい。
【００７９】
そして、表示制御装置１１は、画像データを受信し（ステップＳ５４）、例えば、表示制御装置１１に記憶された画像データと照合することなどによって、画像データの認証処理を行う（ステップＳ５５）。表示制御装置１１は、認証結果をコマンド送信端末５１に送信し、コマンド送信端末５１は、表示制御装置１１の送信した認証結果を受信する（ステップＳ５６およびステップＳ５７）。
【００８０】
・なお、図１０を用いて説明された変形例では、表示制御装置１１が表示端末１２に表示された情報による認証を行っている。これに限らず、表示制御装置１１以外の装置、例えば、認証用サーバＳが画像の認証を行ってもよい。
【００８１】
例えば、図１１が示すように、コマンド送信端末５１がコマンドを送信し、表示端末１２が、受信したコマンドの実行により表示データ３１を復元して、情報を表示する（ステップＳ４８からステップＳ５１）。次いで、コマンド送信端末５１が、例えば、カメラによって表示端末１２の表示した情報を撮像し（ステップＳ５８）、コマンド送信端末５１が、撮像した画像に対応する画像データを認証用サーバＳに送信する（ステップＳ５９）。なお、コマンド送信端末５１は、所定の通信用のネットワークを介して、認証用サーバＳに対して画像データを送信すればよい。
【００８２】
そして、認証用サーバＳは、画像データを受信し（ステップＳ６０）、例えば、認証用サーバＳに記憶された画像データと照合することなどによって、画像データの認証処理を行う（ステップＳ６１）。認証用サーバＳは、認証結果をコマンド送信端末５１に送信し、コマンド送信端末５１は、認証用サーバＳの送信した認証結果を受信する（ステップＳ６２およびステップＳ６３）。
【００８３】
・ステップＳ４０からステップＳ４２の処理は、以下に説明される処理であってもよい。すなわち、コマンド送信端末５１が、インターネットを介して所定のウェブサイトであって、コマンド送信端末５１のＩＤが予め登録されたウェブサイトに接続する。そして、コマンド送信端末５１が、ウェブサイトにＩＤを送信し、ウェブサイトから認証用のサーバにＩＤが送信されることで、コマンド送信端末５１の認証処理が行われる。
【００８４】
そして、認証用のサーバによってコマンド送信端末５１が認証されると、認証用のサーバから、コマンド送信端末５１がコマンドを送信すべき端末であることに関する情報が表示制御装置１１に送信される。表示制御装置１１が、コマンドを送信すべき端末のＩＤとしてコマンド送信端末５１のＩＤを記憶する。
【００８５】
表示制御装置１１がコマンド送信端末５１のＩＤを記憶すると、表示制御装置１１が、認証用のサーバにＩＤの記憶が完了したことを通知する。完了通知を受けた認証用のサーバは、上述のウェブサイトに「表示制御装置１１にかざして下さい」、あるいは、「表示制御装置１１との通信を開始できる状態にして下さい」などの情報を表示させる。
【００８６】
次いで、コマンド送信端末５１と表示制御装置１１との間の距離が所定の距離以内であると、表示制御装置１１によってコマンド送信端末５１が認証されて、表示制御装置１１がコマンド送信端末５１にコマンドを送信する。
【００８７】
・第２実施形態の表示システム１０は、第１実施形態の変形例の構成と組み合わせて実施することもできる。
［第３実施形態］
図１２から図１６を参照して、表示システムを具体化した第３実施形態を説明する。第３実施形態の表示システムは、第２実施形態の表示システムと比べて、表示制御装置の構成が異なる。そのため、以下では、こうした相違点を詳しく説明する一方で、第３実施形態の表示システムにおいて第２実施形態の表示システムと共通する構成には、第２実施形態の表示システムと同一の符号を付すことによって、第２実施形態の表示システムと共通する構成の説明を省略する。また、以下では、表示システムの構成、表示制御装置の構成、表示システムの処理、表示システムの作用、および、表示システムの用途を順番に説明する。
【００８８】
［表示システムの構成］
図１２を参照して表示システムの構成を説明する。
図１２が示すように、表示システム１０は、表示制御装置７０、表示端末１２、および、コマンド送信端末５１を備えている。表示制御装置７０は、１つの生成端末７１と、複数のデータ送信端末７２とから構成されている。複数のデータ送信端末７２の各々は、送信端末の一例である。なお、図１２では、４つのデータ送信端末７２を備える構成が例示されているが、表示制御装置７０の備えるデータ送信端末７２の数は、２以上の複数であればよく、例えば、表示制御装置７０の生成する送信データの数と同じであればよい。
【００８９】
生成端末７１は、複数の表示送信データ３４を生成し、複数の表示送信データ３４の各々を相互に異なるデータ送信端末７２に出力する。生成端末７１は、例えば、１つのデータ送信端末７２に対して１つの表示分割データ３２を出力するが、各データ送信端末７２に出力される表示分割データ３２が相互に異なるデータであれば、複数の表示分割データ３２を出力してもよい。生成端末７１は、複数の表示分割データ３２から１つの表示データ３１を復元するためのコマンドを生成する。
【００９０】
生成端末７１は、例えばパーソナルコンピュータであるが、送信データとコマンドとの生成が可能な他の装置であってもよい。
各データ送信端末７２は、近距離無線通信７３によって表示送信データ３４を送信するように構成され、複数のデータ送信端末７２は、相互に異なる場所に配置されている。複数のデータ送信端末７２は、相互に異なる表示送信データ３４、すなわち、相互に異なる表示分割データ３２を表示端末１２に送信する。各データ送信端末７２は、例えば、生成端末７１に接続されたリーダライタであるが、パーソナルコンピュータやスマートフォンなどでもよく、近距離無線通信７３によって表示端末１２に表示送信データ３４を送信することのできる端末であればよい。
【００９１】
近距離無線通信は７３、例えばＮＦＣであるが、Ｂｌｕｅｔｏｏｔｈ（登録商標）、ＩｒＤＡ、および、ＺｉｇＢｅｅ（登録商標）などでもよい。
コマンド送信端末５１は、表示制御装置１１の生成したコマンドを近距離無線通信７３によって表示端末１２に送信する。コマンド送信端末５１は、例えば、生成端末７１に接続されたリーダライタであるが、スマートフォンやパーソナルコンピュータであってもよく、近距離無線通信７３によって表示端末１２にコマンドを送信することのできる端末であればよい。なお、第３実施形態のコマンド送信端末５１は、第２実施形態のコマンド送信端末５１とは異なり、生成端末７１の生成したコマンドが、予めコマンド記憶部６３に記憶されている。
【００９２】
［表示制御装置の構成］
図１３を参照して表示制御装置の構成を説明する。
図１３が示すように、表示制御装置７０は、生成端末７１と複数のデータ送信端末７２とを備え、生成端末７１は、装置記憶部８１と装置制御部８２とを備えている。
【００９３】
装置記憶部８１は、第１実施形態の装置記憶部２１と同様、少なくともデータとプログラムとを格納し、プログラムには、分割データ生成用プログラム、アドレス指定用プログラム、および、コマンド生成用プログラムが含まれる。
【００９４】
データには、表示データと、各表示分割データに割り当てられたアドレスが、表示データにおける各表示分割データの並び順に対応付けられたデータである表示用アドレスデータとが含まれている。
【００９５】
装置制御部８２は、第１実施形態の装置制御部２２と同様、データ生成部８２ａとコマンド生成部８２ｂとを備えている。データ生成部８２ａは、１つの表示データ３１から複数の表示送信データ３４を生成し、コマンド生成部８２ｂは、複数の表示分割データ３２から１つの表示データ３１を復元するためのコマンドを生成する。
【００９６】
データ送信端末７２の各々は、送信部７２ａと送信端末記憶部７２ｂとを備え、送信部７２ａは、第１実施形態の送信部２３と同様、表示送信データ３４を表示端末１２に送信する。送信端末記憶部７２ｂには、データ送信端末７２ごとに相互に異なる表示分割データ３２が予め記憶されている。
【００９７】
［表示システムの処理］
図１４を参照して表示システムの実行する処理を説明する。なお、複数のデータ送信端末７２において、各データ送信端末７２の実行する処理は相互に共通している。そのため、以下では、４つのデータ送信端末７２のうち、２つのデータ送信端末７２についてのみ説明する。
【００９８】
表示システム１０では、表示制御装置７０の備える生成端末７１が、上述した分割データ生成用プログラムとアドレス指定用プログラムとを実行して、１つの表示データ３１から複数の表示送信データ３４を生成する。そして、生成端末７１は、複数の表示送信データ３４の各々を相互に異なるデータ送信端末７２に出力する。そして、各データ送信端末７２は、生成端末７１の出力した表示送信データ３４の１つを送信端末記憶部７２ｂに記憶する。
【００９９】
一方で、生成端末７１は、コマンド生成プログラムを実行してコマンドを生成し、コマンド送信端末５１に出力する。コマンド送信端末５１は、生成端末７１の出力したコマンドをコマンド記憶部６３に記憶する。
【０１００】
図１４が示すように、４つのデータ送信端末７２のうち、１つのデータ送信端末７２である第１のデータ送信端末７２が、第１のデータ送信端末７２から所定の距離内に接続要求信号を送信する（ステップＳ７１）。第１のデータ送信端末７２の所定の範囲内に表示端末１２が位置するとき、表示端末１２が接続要求信号を受信して（ステップＳ７２）、受信した接続要求信号に対応する接続応答信号を送信する（ステップＳ７３）。このとき、接続要求信号には、表示端末１２を特定するための情報、例えば、表示端末１２のＩＤが含まれている。
【０１０１】
第１のデータ送信端末７２が接続応答信号を受信し、第１のデータ送信端末７２が、表示端末１２のＩＤから表示端末１２が表示送信データ３４を送信すべき端末であるとして認証する（ステップＳ７４）。なお、第１のデータ送信端末７２は、例えば、送信端末記憶部７２ｂに記憶された情報に基づいて表示端末１２の認証を行ってもよいし、表示端末１２のＩＤを生成端末７１に出力して、生成端末７１が表示端末１２の認証を行ってもよい。
【０１０２】
第１のデータ送信端末７２は、送信端末記憶部７２ｂに記憶された１つの表示送信データ３４を表示端末１２に送信する（ステップＳ７５）。表示端末１２は、表示送信データ３４を受信し（ステップＳ７６）、表示送信データ３４に含まれるアドレスに対応するアドレス空間に表示分割データ３２を記憶する（ステップＳ７７）。
【０１０３】
なお、ステップＳ７１からステップＳ７７では、例えば、表示端末１２の所持者が、第１のデータ送信端末７２に表示端末１２をかざして、第１のデータ送信端末７２と表示端末１２との間の距離を所定の距離以内に保っている。
【０１０４】
そして、４つのデータ送信端末７２のうち、先のデータ送信端末７２とは異なる第２のデータ送信端末７２が、第２のデータ送信端末７２から所定の距離内に接続要求信号を送信する（ステップＳ７８）。第２のデータ送信端末７２の所定の距離内に表示端末１２が位置するとき、表示端末１２が接続要求信号を受信して（ステップＳ７９）、受信した接続要求信号に対応する接続応答信号を送信する（ステップＳ８０）。このとき、上述したステップＳ７３と同様、接続応答信号には、表示端末１２を特定するためのＩＤが含まれている。
【０１０５】
第２のデータ送信端末７２が接続応答信号を受信し、第２のデータ送信端末７２が、表示端末１２のＩＤから表示端末１２が表示送信データ３４を送信すべき端末であるとして認証する（ステップＳ８１）。なお、第２のデータ送信端末７２は、例えば、第１のデータ送信端末７２と同じ方法で、表示端末１２を認証する。
【０１０６】
第２のデータ送信端末７２は、送信端末記憶部７２ｂに記憶された１つの表示送信データ３４であって、第１のデータ送信端末７２が送信した表示送信データ３４とは異なるデータを表示端末１２に送信する（ステップＳ８２）。表示端末１２は、表示送信データ３４を受信し（ステップＳ８３）、表示送信データ３４に含まれる表示用アドレス３３であって、第１のデータ送信端末７２が送信した表示送信データ３４に含まれる表示用アドレス３３とは異なるアドレスに対応するアドレス空間に表示分割データ３２を記憶する（ステップＳ８４）。
【０１０７】
なお、ステップＳ７８からステップＳ８４では、例えば、表示端末１２の所持者が、第１のデータ送信端末７２の配置された場所から第２のデータ送信端末７２の配置された場所に移動して、第２のデータ送信端末７２に表示端末１２をかざしている。これにより、所持者は、第２のデータ送信端末７２と表示端末１２との間の距離を所定の距離以内に保っている。
【０１０８】
また、表示端末１２は、第３のデータ送信端末７２、および、第４のデータ送信端末７２の双方とも、上述した信号およびデータのやり取りを行う。
次いで、コマンド送信端末５１が、コマンド送信端末５１から所定の距離内に接続要求信号を送信する（ステップＳ８５）。コマンド送信端末５１の所定の距離内に表示端末１２が位置するとき、表示端末１２が接続要求信号を受信して（ステップＳ８６）、受信した接続要求信号に対応する接続応答信号を送信する（ステップＳ８７）。このとき、上述したステップＳ７３と同様、接続応答信号には、表示端末１２を特定するためのＩＤが含まれている。
【０１０９】
コマンド送信端末５１が接続応答信号を受信し、コマンド送信端末５１が、表示端末１２のＩＤから表示端末１２がコマンドを送信すべき端末であるとして認証する（ステップＳ８８）。なお、コマンド送信端末５１は、例えば、第１のデータ送信端末７２と同じ方法で、表示端末１２を認証する。
【０１１０】
コマンド送信端末５１は、コマンド記憶部６３に記憶されたコマンドを表示端末１２に送信する（ステップＳ８９）。表示端末１２は、コマンドを受信し（ステップＳ９０）、コマンドを実行することで、複数の表示分割データ３２から１つの表示データ３１を復元する（ステップＳ９１）。そして、表示部４４が、表示データ３１に基づく画像を表示する（ステップＳ９２）。
【０１１１】
なお、ステップＳ８５からステップＳ９２の処理が行われる前に、例えば、表示端末１２の所持者が、第２のデータ送信端末７２の配置された場所から第３のデータ送信端末７２の配置された場所に移動する。そして、所持者が、第３のデータ送信端末７２に表示端末１２をかざして、表示端末１２に第３のデータ送信端末７２の表示送信データ３４に含まれる表示分割データ３２を記憶させる。
【０１１２】
次いで、所持者が第３のデータ送信端末７２の配置された場所から第４のデータ送信端末７２の配置された場所に移動する。そして、所持者が、第４のデータ送信端末７２に表示端末１２をかざして、表示端末１２に第４のデータ送信端末７２の表示送信データ３４に含まれる表示分割データ３２を記憶させる。
【０１１３】
その後、所持者が、第４のデータ送信端末７２の配置された場所からコマンド送信端末５１の配置された場所に移動する。そして、ステップＳ８５からステップＳ９２では、表示端末１２の所持者が、コマンド送信端末５１に表示端末１２をかざして、コマンド送信端末５１と表示端末１２との間の距離を所定の距離内に保っている。
【０１１４】
［表示システムの作用］
図１５および図１６を参照して、表示システムの作用を説明する。なお、以下では、表示データ３１が、例えば所定の画像を表示させるためのデータである例を説明する。
【０１１５】
図１５が示すように、表示端末１２が、第１のデータ送信端末７２から第４のデータ送信端末７２の各々の送信する相互に異なる表示送信データ３４の各々を受信し、かつ、コマンド送信端末５１の送信するコマンドを受信したとき、表示部４４には、画像Ｐが表示される。
【０１１６】
画像Ｐは、例えば、第１部分Ｐ１、第２部分Ｐ２、第３部分Ｐ３、および、第４部分から構成されている。そして、第１のデータ送信端末７２の送信する表示送信データ３４に含まれる表示分割データ３２が第１部分Ｐ１に対応し、第２のデータ送信端末７２の送信する表示送信データ３４に含まれる表示分割データ３２が第２部分Ｐ２に対応している。また、第３のデータ送信端末７２の送信する表示送信データ３４に含まれる表示分割データ３２が第３部分Ｐ３に対応し、第４のデータ送信端末７２の送信する表示送信データ３４に含まれる表示分割データ３２が第４部分Ｐ４に対応している。
【０１１７】
そのため、例えば、表示端末１２が、各データ送信端末７２の送信する表示送信データ３４の少なくとも１つを受信していない状態で、表示端末１２にて表示データ３１を復元するためのコマンドが実行されると、表示部４４には、画像Ｐのうち、少なくとも一部が欠けた画像Ｐが表示される。そのため、表示端末１２に画像Ｐが表示されることによって、表示端末１２が全てのデータ送信端末７２から表示送信データ３４を受信したか否か、および、表示端末１２がどのデータ送信端末７２から表示送信データ３４を受信していないかが検知可能である。
【０１１８】
なお、こうした画像Ｐに基づく検知は、例えば、表示端末１２の所持者などの人によって行われてもよいし、例えば、画像Ｐに関するデータが表示制御装置１１や表示システム１０の外部装置としてのサーバに送信されることによって、表示制御装置１１やサーバによって行われてもよい。
【０１１９】
例えば、図１６が示すように、表示端末１２に表示された画像Ｐが、第１部分Ｐ１、第２部分Ｐ２、および、第４部分Ｐ４を有する一方で、第３部分Ｐ３を有しないとき、表示端末１２が第３のデータ送信端末７２の送信する表示送信データ３４を受信していないことを検知することができる。
【０１２０】
このように、表示端末１２は、全てのデータ送信端末７２から表示分割データ３２を受信したときのみ、表示データ３１に基づく画像の全体を表示することができる。
［表示システムの用途］
上述した表示システム１０は、例えば、スタンプラリーに適用される。この場合には、表示制御装置１１の備える複数のデータ送信端末７２の各々は、相互に異なる場所であって、スタンプラリーの参加者が立ち寄るべき場所であるチェックポイントに配置されている。
【０１２１】
例えば、スタンプラリーの参加者が表示端末１２を所持し、相互に異なるチェックポイントに配置された複数のデータ送信端末７２の各々に対して表示端末１２をかざす。これにより、表示端末１２の端末記憶部４３には、データ送信端末７２ごとの表示分割データ３２が記憶される。そして、参加者が、複数のデータ送信端末７２の各々が配置された場所とは相互に異なる場所、例えば、スタンプラリーのゴールに配置されたコマンド送信端末５１に表示端末１２をかざすと、表示端末１２には、複数の表示分割データ３２から復元された表示データ３１に基づく情報が表示される。そのため、表示端末１２に表示された情報によって、参加者がスタンプラリーで立ち寄るべき場所の全てに立ち寄ったか否かを把握することができる。
【０１２２】
あるいは、表示システム１０は、所定の物品を製造する工程を管理する工程管理に適用される。例えば、複数の工程の各々における処理を経て製造される物品であれば、物品が製造されるまでに行われる工程の各々が行われる場所に、データ送信端末７２が１つずつ配置され、完成した物品が配置される場所にコマンド送信端末５１が配置される。そして、表示端末１２が、各製造工程にて所定の処理が施される物品とともに、各製造工程が行われる場所に運搬され、かつ、表示端末１２は、各製造工程での物品に対する処理が完了するごとに、各製造工程が行われる場所に配置されたデータ送信端末７２にかざされればよい。
【０１２３】
これにより、表示端末１２には、製造工程が完了するごとに１つの表示分割データ３２が記憶され、かつ、全ての製造工程が完了した後に、コマンドが送信されて、表示部４４に情報が表示される。そのため、表示端末１２に表示された情報によって、物品に対して複数の製造工程の処理の全てが行われたか否かを把握することができる。
【０１２４】
以上説明したように、第３実施形態の表示システムによれば、以下の効果を得ることができる。
（４）複数のデータ送信端末７２の各々は、相互に異なる表示分割データ３２を送信するため、表示端末１２は、全てのデータ送信端末７２から表示分割データ３２を受信したときのみ、表示データ３１に基づく画像の全体を表示することができる。
【０１２５】
なお、上述した第３実施形態は、以下のように適宜変更して実施することもできる。
・複数のデータ送信端末７２の各々は、送信端末記憶部７２ｂを備えていなくともよく、送信部７２ａのみを備える構成でもよい。こうした構成では、例えば、表示端末１２が、表示送信データ３４やコマンドを送信するべき端末であるか否かを生成端末７１が認証する構成であればよい。そして、生成端末７１が、表示端末１２を認証するごとに、データ送信端末７２ごとに相互に異なる表示送信データ３４をデータ送信端末７２に出力し、データ送信端末７２が、表示端末１２に表示送信データ３４を送信すればよい。
【０１２６】
・表示分割データ３２の一部が端末記憶部４３に記憶されていないときには、コマンドが実行されても、表示部４４に情報が全く表示されない構成でもよい。こうした構成であっても、上述した（４）に準じた効果を得ることはできる。
【０１２７】
・第３実施形態の表示システム１０は、第２実施形態の変形例の各々の構成と組み合わせて実施することもできる。
［第４実施形態］
図１７から図２２を参照して、表示システムを具体化した第４実施形態を説明する。第４実施形態の表示システムは、第１実施形態の表示システムと比べて、表示制御装置が表示端末に送信するデータが異なる。そのため、以下では、こうした相違点を詳しく説明する一方で、第４実施形態の表示システムにおいて第１実施形態の表示システムと共通する構成には、第１実施形態の表示システムと同一の符号を付すことによって、第１実施形態の表示システムと共通する構成の説明を省略する。また、以下では、表示制御装置が表示端末に送信する送信データ、端末記憶部の構成、表示システムの処理、および、表示システムの作用を順番に説明する。
【０１２８】
［送信データ］
図１７を参照して送信データを説明する。なお、図１７では、送信データを説明する便宜上、送信データが模式的に示されている。また、以下では、送信データとともに、表示制御装置１１の装置記憶部２１に記憶されたデータおよびプログラムも説明する。
【０１２９】
図１７が示すように、第４実施形態の表示システム１０において、表示制御装置１１の装置記憶部２１は、少なくともデータとプログラムとを記憶し、データには、第１実施形態における表示データ３１に加えて、データの改竄が行われたか否かの検知の対象となるデータである検知対象データ９１が含まれる。検知対象データ９１は、例えば、画像などの情報を表示するためのデータではなく、表示端末１２の認証などに用いられるＩＤなどの情報や、秘匿性の高い情報などである。すなわち、表示端末１２は、例えば、認証用の情報や、所定のプログラムなどを形成するためのテキストデータなどを持ち運ぶための携帯用のメモリとしての機能を有する。検知対象データ９１は、第２データの一例である。
【０１３０】
プログラムには、分割データ生成用プログラム、アドレス指定用プログラム、コマンド生成プログラム、および、データ送信用プログラムが含まれる。このうち、分割データ生成用プログラムは、表示データ３１から複数の表示分割データ３２を生成することに加えて、検知対象データ９１を所定の情報の大きさごとに分割して、１つの検知対象データ９１から複数の検知分割データ９２を生成するためのプログラムである。検知分割データ９２は、第２分割データの一例である。
【０１３１】
分割データ生成プログラムによって、所定の大きさを有する検知対象データ９１が、検知対象データ９１のデータサイズよりも小さいサイズであって、表示端末１２の端末記憶部４３に設定された１つのアドレス空間に記憶することのできるサイズ、例えば１バイトの検知分割データに分割される。
【０１３２】
アドレス指定用プログラムは、各表示分割データ３２に表示端末１２の端末記憶部４３における１つの表示用アドレス３３を対応付け、かつ、各検知分割データ９２に表示端末１２の端末記憶部４３における１つのアドレスである検知用アドレス９３を対応付けるためのプログラムである。アドレス指定用プログラムによれば、例えば、疑似乱数が用いられて、複数の表示分割データ３２の各々、および、複数の検知分割データ９２の各々に対して１つのアドレスがランダムに割り当てられる。表示分割データ３２に割り当てられる表示用アドレス３３と、検知分割データ９２に割り当てられる検知用アドレス９３とは、相互に異なるアドレスである。検知用アドレス９３が、第２アドレスの一例であり、各検知分割データに対応付けられた検知用アドレスは、表示端末１２の備えるソフトウェアからみてランダムである。
【０１３３】
データ送信用プログラムは、表示用アドレス３３の割り当てられた表示分割データ３２を含む表示送信データ３４と、検知用アドレス９３の割り当てられた検知分割データ９２を含む検知送信データ９４とを表示端末１２に対して送信部２３に送信させるためのプログラムである。検知送信データ９４は、第２送信データの一例である。
【０１３４】
装置制御部２２のデータ生成部２２ａは、分割データ生成用プログラムを実行して、１つの表示データ３１を複数の表示分割データ３２に分割し、かつ、１つの検知対象データ９１を複数の検知分割データ９２に分割する。そして、データ生成部２２ａは、アドレス指定用プログラムを実行して、各表示分割データ３２に１つの表示用アドレス３３をランダムに割り当て、かつ、各検知分割データ９２に１つの検知用アドレス９３をランダムに割り当てる。
【０１３５】
これにより、データ生成部２２ａは、１つの表示分割データ３２と１つの表示用アドレス３３とを含む複数の表示送信データ３４を表示分割データ３２の各々に対して生成し、１つの検知分割データ９２と１つの検知用アドレス９３とを含む複数の検知送信データ９４を検知分割データ９２の各々に対して生成する。
【０１３６】
このとき、データ生成部２２ａは、表示用アドレスデータと、検知用アドレスデータとを装置記憶部２１に格納する。検知用アドレスデータは、検知分割データ９２に割り当てられた検知用アドレス９３と、検知用アドレス９３が割り当てられた検知分割データ９２の検知対象データ９１における並び順とから構成される。
【０１３７】
［端末記憶部の構成］
図１８および図１９を参照して端末記憶部の構成を説明する。なお、図１８および図１９は、端末記憶部４３に区画された複数のアドレス空間を模式的に示す図であり、図１８および図１９では、説明の便宜上、アドレス空間の各々にドットなどのハッチングが付されている。
【０１３８】
図１８が示すように、各表示送信データ３４の含む表示分割データ３２は、第１アドレス空間４３ａから第６アドレス空間４３ｆのいずれかに記憶される。これに対して、検知対象データ９１が、例えば、６つの検知分割データ９２に分けられるとき、複数の検知分割データ９２の各々は、以下の６つのアドレス空間のうち、相互に異なる１つのアドレス空間に記憶される。なお、以下では、検知用アドレス９３は、表示用アドレス３３と同様、アドレス空間に対応付けられた行番号と列番号とを順に並べる形で表される。
【０１３９】
例えば、検知送信データ９４に含まれる検知用アドレス９３が「０４」であるとき、検知分割データ９２は「０４」が対応付けられた第７アドレス空間４３ｇに記憶され、検知送信データ９４に含まれる検知用アドレス９３が「２４」であるとき、検知分割データ９２は「２４」が対応付けられた第８アドレス空間４３ｈに記憶される。
【０１４０】
また、検知送信データ９４に含まれる検知用アドレス９３が「７０」であるとき、検知分割データ９２は「７０」対応付けられた第９アドレス空間４３ｉに記憶され、検知送信データ９４に含まれる検知用アドレス９３が「Ｂ４」であるとき、検知分割データ９２は「Ｂ４」が対応付けられた第１０アドレス空間４３ｊに記憶される。
【０１４１】
そして、検知送信データ９４に含まれる検知用アドレス９３が「Ｄ０」であるとき、検知分割データ９２は「Ｄ０」が対応付けられた第１１アドレス空間４３ｋに記憶され、検知送信データ９４に含まれる検知用アドレス９３が「Ｆ４」であるとき、検知分割データ９２は「Ｆ４」が対応付けられた第１２アドレス空間４３ｌに記憶される。
【０１４２】
端末記憶部４３において、表示分割データ３２、および、検知分割データ９２の記憶されていないアドレス空間には、表示データ３１および検知対象データ９１のいずれも構成しないデータであるダミーデータが記憶されている。
【０１４３】
図１９は、端末記憶部４３の記憶領域に、複数の表示分割データ３２と、複数の検知分割データ９２とが格納された後に、各アドレス空間に記憶されたデータの一部が、第三者によって改竄された状態の一例を模式的に示している。
【０１４４】
図１９が示すように、端末記憶部４３のうち、「０３」から「Ｆ３」の各々のアドレスに対応付けられたアドレス空間と、「０４」から「Ｆ４」の各々のアドレスに対応付けられたアドレス空間とに記憶されたデータが、第三者によって改竄される。この場合には、改竄されたデータに、第３アドレス空間４３ｃに記憶された表示分割データ３２と、第６アドレス空間４３ｆに記憶された表示分割データ３２とが含まれている。また、改竄されたデータに、第７アドレス空間４３ｇに記憶された検知分割データ９２、第８アドレス空間４３ｈ、第１０アドレス空間４３ｊに記憶された検知分割データ９２、および、第１２アドレス空間４３ｌに記憶された検知分割データ９２が含まれている。
【０１４５】
このように、端末記憶部４３には、ランダムに割り当てられたアドレス空間に複数の表示分割データ３２と、同じく、ランダムに割り当てられたアドレス空間に複数の検知分割データ９２とが記憶されている。そのため、検知分割データ９２を改竄する改竄者が、検知分割データ９２のみを改竄することは難しく、こうした改竄者が検知分割データ９２を改竄するときには、表示分割データ３２にまで変更が加えられやすくなる。結果として、第三者の改竄によって、複数の表示分割データ３２の一部と、複数検知分割データ９２の一部とが改竄されている。
【０１４６】
［表示システムの処理］
図２０を参照して表示システムの実行する処理を説明する。なお、以下では、表示制御装置１１から表示端末１２に送信されたデータのうち、図１９を用いて説明したデータが第三者によって改竄された例を説明する。
【０１４７】
図２０が示すように、表示制御装置１１は、表示制御装置１１から所定の範囲内に接続要求信号を送信し（ステップＳ１０１）、表示制御装置１１の所定の範囲内に表示端末１２が位置するとき、表示端末１２が接続要求信号を受信して（ステップＳ１０２）、受信した接続要求信号に対応する接続応答信号を送信する（ステップＳ１０３）。このとき、接続応答信号には、表示端末１２を特定するための情報、例えば、表示端末１２のＩＤが含まれている。
【０１４８】
表示制御装置１１が接続応答信号を受信し、表示制御装置１１が、表示端末１２のＩＤから表示端末１２のＩＤが、表示送信データ３４、および、検知送信データ９４を送信すべき端末として認証する（ステップＳ１０４）。そして、表示制御装置１１は、表示データ３１に基づく表示送信データ３４と、検知対象データ９１に基づく検知送信データ９４とを生成し（ステップＳ１０５）、表示送信データ３４および検知送信データ９４を表示端末１２に送信する（ステップＳ１０６）。表示端末１２は、表示送信データ３４および検知送信データ９４を受信し（ステップＳ１０７）、表示送信データ３４ごとのアドレス空間に表示分割データ３２を記憶し、かつ、検知送信データ９４ごとのアドレス空間に検知分割データ９２を記憶する（ステップＳ１０８）。
【０１４９】
なお、表示制御装置１１は、表示端末１２への表示送信データ３４の送信に続いて、表示送信データ３４に含まれる表示分割データ３２から表示データ３１を復元させるためのコマンドを生成する（ステップＳ１０９）。
【０１５０】
また、ステップＳ１０１からステップＳ１０８では、例えば、表示端末１２の所持者が、表示制御装置１１のリーダライタに表示端末１２をかざして、リーダライタと表示端末１２との間の距離を所定の距離以内に保っている。
【０１５１】
ここで、例えば、表示端末１２が所持者の手を離れて、郵送などされているとき、改竄者によって、表示端末１２に格納されたデータが改竄され（ステップＳ１１０）、これにより、表示端末１２に格納されたデータの一部が改変される（ステップＳ１１１）。
【０１５２】
次いで、表示制御装置１１が、表示制御装置１１から所定の範囲内に接続要求信号を送信し（ステップＳ１１２）、表示制御装置１１の所定の範囲内に表示端末１２が位置するとき、表示端末１２が接続要求信号を受信する（ステップＳ１１３）。そして、表示端末１２は、受信した接続要求信号に対応する接続応答信号を送信する（ステップＳ１１４）。このとき、接続応答信号には、上述と同様、表示端末１２の例えばＩＤが含まれている。
【０１５３】
表示制御装置１１が接続応答信号を受信し、表示制御装置１１が、表示端末１２のＩＤから表示端末１２が、表示送信データ３４と検知送信データ９４とを送信した表示端末１２であるか否かを判断する（ステップＳ１１５）。そして、表示制御装置１１が、表示端末１２が表示送信データ３４と検知送信データ９４とを受信した端末であると判断すると、表示制御装置１１が、表示端末１２にコマンドを送信する（ステップＳ１１６）。
【０１５４】
表示端末１２は、表示制御装置１１の送信したコマンドを受信し（ステップＳ１１７）、コマンドを実行して複数の表示分割データ３２から１つの表示データ３１を復元する（ステップＳ１１８）。これにより、表示部４４が、表示データ３１に基づく情報を表示する（ステップＳ１１９）。
【０１５５】
なお、ステップＳ１１２からステップＳ１１９では、例えば、表示端末１２の所持者が、表示制御装置１１のリーダライタに表示端末１２をかざして、リーダライタと表示端末１２との間の距離を所定の距離以内に保っている。
【０１５６】
［表示システムの作用］
図２１および図２２を参照して表示システムの作用を説明する。なお、以下では、表示データ３１が、例えば所定の画像を表示させるためのデータである例を説明する。
【０１５７】
図２１が示すように、例えば、表示部４４は、表示データ３１に基づき画像Ｐを表示する。表示データ３１が、例えば、６つの表示分割データ３２から構成されるとき、各表示データ３１は、画像Ｐにおける第１部分Ｐ１、第２部分Ｐ２、第３部分Ｐ３、第４部分Ｐ４、第５部分Ｐ５、および、第６部分Ｐ６のいずれかに対応するデータである。
【０１５８】
表示端末１２が表示分割データ３２と検知分割データ９２とを記憶した後、表示分割データ３２が改竄されなければ、表示分割データ３２から復元された表示データ３１に基づく画像Ｐは、第１部分Ｐ１から第６部分Ｐ６の全てを有した状態で、表示部４４に表示される。
【０１５９】
一方で、図２２が示すように、表示部４４に表示された画像Ｐが、例えば、第３部分Ｐ３、および、第６部分Ｐ６を有していないとき、表示分割データ３２のうち、第３部分Ｐ３に対応するデータと、第６部分Ｐ６に対応するデータとが改変されたことを検知することができる。そして、表示分割データ３２の一部が改変されていることを検知することにより、表示分割データ３２とともに端末記憶部４３に記憶された検知分割データ９２が改竄されている可能性が高いことを検知することができる。
【０１６０】
このように、表示分割データ３２が、検知分割データ９２とともに端末記憶部４３に記憶されることによって、表示分割データ３２に基づく画像Ｐが表示部４４に表示されることで、検知分割データ９２の改竄の有無を検知することが可能になる。それゆえに、検知対象データ９１そのものが情報を表示させるデータでなくとも、また、検知分割データ９２そのものを解析しなくとも、検知分割データ９２の改竄の有無を検知することが可能になる。
【０１６１】
なお、こうした画像Ｐに基づく改竄の検知は、例えば、表示端末１２の所持者などの人によって行われてもよいし、例えば、画像Ｐに関するデータが表示制御装置１１や表示システム１０の外部装置としてのサーバに送信されることによって、表示制御装置１１やサーバによって行われてもよい。
【０１６２】
以上説明したように、第４実施形態の表示システムによれば、以下の効果を得ることができる。
（５）端末記憶部４３は、ランダムに割り当てられたアドレスに複数の表示分割データ３２を記憶し、さらに、ランダムに割り当てられたアドレスに複数の検知分割データ９２を記憶する。そのため、検知分割データ９２を改竄する改竄者が検知分割データ９２のみを改竄することは難しく、こうした改竄者が検知分割データ９２を改竄するときには、表示分割データ３２にまで変更が加えられやすくなる。そして、表示端末１２が表示分割データ３２に基づく画像を表示する表示部４４を備えているため、検知対象データ９１を構成する検知分割データ９２が改竄された場合には、表示端末１２に表示される画像Ｐが、本来表示されるべき画像Ｐとは異なる画像になる。それゆえに、表示分割データ３２に基づき表示部４４に表示された画像Ｐが本来表示されるべき画像Ｐであるか否かによって、表示分割データ３２に変更が加えられたか否か、ひいては、検知分割データ９２が改竄されたか否かを検知することができる。
【０１６３】
なお、上述した第４実施形態は、以下のように適宜変更して実施することもできる。
・装置記憶部２１は、検知用アドレスデータを記憶していなくともよく、こうした構成では、例えば、表示制御装置１１以外の端末などが検知用アドレスデータを記憶していればよい。
【０１６４】
・表示制御装置１１は、表示分割データ３２から表示データ３１を復元するコマンドに加えて、検知分割データ９２から検知対象データ９１を復元するコマンドを生成してもよい。こうした構成では、例えば、コマンド処理部４２ａが検知対象データ９１を復元するコマンドを解釈して、複数の検知分割データ９２を検知対象データ９１における並び順に従って並べて１つの検知対象データを復元する。
【０１６５】
・表示分割データ３２の一部が改変されたときには、コマンドが実行されても、表示部４４に情報が全く表示されない構成でもよい。こうした構成であっても、上述した（５）に準じた効果を得ることはできる。
【０１６６】
・第４実施形態の表示システム１０は、第１実施形態の変形例の各々の構成と組み合わせで実施することもできる。
・第４実施形態の表示システム１０は、第２実施形態の構成と組み合わせて実施することもできる。すなわち、表示システム１０は、表示制御装置１１と表示端末１２とに加えて、コマンド送信端末５１を備える構成であってもよい。
【０１６７】
・第４実施形態の表示システム１０は、第２実施形態の変形例の各々の構成と組み合わせて実施することもできる。
・検知対象データ９１は、所定の画像を表示させるためのデータであってもよい。
【符号の説明】
【０１６８】
１０…表示システム、１１，７０…表示制御装置、１２…表示端末、１３…通信、２１，８１…装置記憶部、２２，８２…装置制御部、２２ａ，８２ａ…データ生成部、２２ｂ，８２ｂ…コマンド生成部、２３…送信部、３１…表示データ、３２…表示分割データ、３３…表示用アドレス、３４…表示送信データ、４１…受信部、４２…端末制御部、４２ａ…コマンド処理部、４３…端末記憶部、４３ａ…第１アドレス空間、４３ｂ…第２アドレス空間、４３ｃ…第３アドレス空間、４３ｄ…第４アドレス空間、４３ｅ…第５アドレス空間、４３ｆ…第６アドレス空間、４３ｇ…第７アドレス空間、４３ｈ…第８アドレス空間、４３ｉ…第９アドレス空間、４３ｊ…第１０アドレス空間、４３ｋ…第１１アドレス空間、４３ｌ…第１２アドレス空間、４４…表示部、５１…コマンド送信端末、６１…コマンド受信部、６２…コマンド制御部、６３…コマンド記憶部、６４…コマンド送信部、７１…生成端末、７２…データ送信端末、７３…近距離無線通信、９１…検知対象データ、９２…検知分割データ、９３…検知用アドレス、９４…検知送信データ、Ｐ…画像、Ｐ１…第１部分、Ｐ２…第２部分、Ｐ３…第３部分、Ｐ４…第４部分。
【図１】
2018156685.tif 000003
【図２】
2018156685.tif 000004
【図３】
2018156685.tif 000005
【図４】
2018156685.tif 000006
【図５】
2018156685.tif 000007
【図６】
2018156685.tif 000008
【図７】
2018156685.tif 000009
【図８】
2018156685.tif 000010
【図９】
2018156685.tif 000011
【図１０】
2018156685.tif 000012
【図１１】
2018156685.tif 000013
【図１２】
2018156685.tif 000014
【図１３】
2018156685.tif 000015
【図１４】
2018156685.tif 000016
【図１５】
2018156685.tif 000017
【図１６】
2018156685.tif 000018
【図１７】
2018156685.tif 000019
【図１８】
2018156685.tif 000020
【図１９】
2018156685.tif 000021
【図２０】
2018156685.tif 000022
【図２１】
2018156685.tif 000023
【図２２】
2018156685.tif 000024